(57)【要約】【課題】簡単に用紙Ｐの平綴じと中綴じの切替え操作ができる切替ストッパ４を提供して、平綴じと中綴じの切替えが頻繁に行われるような用紙Ｐの綴じ作業においても、容易かつ迅速に作業する。【解決手段】ステープルを下方に打ち込むステープル打込み機構の下方に配置された綴り台６から連続して被綴り用紙Ｐを送り込み可能な中綴じ用の通路１１を形成し、上記綴り台６と中綴じ用通路１１との間には、上記中綴じ用通路１１を開放、遮断する切替ストッパ４を移動可能に設けた。【選択図】図１
2008265035.tif 000002
【特許請求の範囲】
【請求項１】
ステープルを下方に打ち込むステープル打込み機構の下方に配置された綴り台から連続して被綴り用紙を送り込み可能な中綴じ用の通路を形成し、上記綴り台と中綴じ用通路との間には、上記中綴じ用通路を開放、遮断する切替ストッパを移動可能に設けたことを特徴とするステープラ。
【請求項２】
上記切替ストッパは、上記中綴じ用通路を遮断して被綴り用紙の平綴じを可能とする下方位置と、上記中綴じ用通路を開放して上記被綴り用紙を進入可能とする上方位置とに回動により移動可能に設けたことを特徴とする、請求項１に記載のステープラ。
【請求項３】
上記切替ストッパは、その上記下方位置と上方位置においてバネの付勢力により保持されることを特徴とする請求項２に記載のステープラ。
【請求項４】
上記切替ストッパは、上記ステープル打込み機構のステープル打ち込み位置に対して位置調整可能に設けられていることを特徴とする、請求項１〜３のいずれかに記載のステープラ。
【請求項５】
上記中綴じ用通路には、被綴り用紙の先端に当接して停止させる停止部材を被綴り用紙の移動方向に移動調整可能に設けたことを特徴とする、請求項１〜４のいずれかに記載のステープラ。
【発明の詳細な説明】
【技術分野】
【０００１】
本発明は、平綴じと中綴じの切替えに用いる切替ストッパを備えたステープラに関する。
【背景技術】
【０００２】
ステープラによる用紙の綴じ方法は大別すると平綴じと中綴じであり、通常これらの綴じ作業は専用のステープラを用いて行われているが、用紙の平綴じと中綴じの双方に対応できる機能を備えるステープラも従来から知られている。
【０００３】
平綴じと中綴じの双方の機能を備えるステープラにおける平綴じと中綴じの切替えは、着脱可能な切替ストッパを用いて行われてきたが、この切替ストッパは通常ネジの嵌め外しで付け外しできるようになされており、平綴じと中綴じの切替えは、平綴じに際しては切替ストッパをネジで固定し、中綴じに際してはネジを弛めることで該ストッパを外して行っていた。
【発明の開示】
【発明が解決しようとする課題】
【０００４】
ところで、上述した従来のネジの取り付け取り外しにより着脱する切替ストッパを用いる用紙の平綴じと中綴じの切替えは、平綴じへの切替えに際しては切替ストッパを位置合わせしてネジで動かないように固定し、また中綴じへの切替えに際してはネジを弛めて切替ストッパを外さねばならず、切替え作業が頻繁に行われるようであるとその作業は相当面倒なものであり、また用紙の綴じ作業の作業性を著しく悪化させるものである。
【０００５】
そこで、本発明は、上述したステープラの問題点の解消を図るべく、ネジを用いずに簡単に用紙の平綴じと中綴じの切替え操作ができる切替ストッパを提供して、平綴じと中綴じの切替えが頻繁に行われるような用紙の綴じ作業においても、容易かつ迅速に作業することができるステープラを提供することをその課題とする。
【課題を解決するための手段】
【０００６】
上記課題を解決するため、請求項１に係る発明は、ステープルを下方に打ち込むステープル打込み機構の下方に配置された綴り台から連続して被綴り用紙を送り込み可能な中綴じ用の通路を形成し、上記綴り台と中綴じ用通路との間には、上記中綴じ用通路を開放、遮断する切替ストッパを移動可能に設けたことを特徴とする。
【０００７】
請求項２に係る発明は、請求項１において、上記切替ストッパは、上記中綴じ用通路を遮断して被綴り用紙の平綴じを可能とする上方位置と、上記中綴じ用通路を開放して上記被綴り用紙の先端を送り込み可能とする下方位置とに回動により移動可能に設けたことを特徴とする。
【０００８】
請求項３に係る発明は、請求項２において、上記切替ストッパは、その上記下方位置と上方位置においてバネの付勢力により保持されることを特徴とする。
【０００９】
請求項４に係る発明は、請求項１〜３のいずれか上記切替ストッパは、上記ステープル打込み機構のステープル打ち出し位置に対して位置調整可能に設けられていることを特徴とする。
【００１０】
請求項５に係る発明は、請求項１〜４のいずれかにおいて上記中綴じ用通路には、被綴り用紙の先端に当接して停止させる停止部材を被綴り用紙の移動方向に移動調整可能に設けたことを特徴とする。
【発明の効果】
【００１１】
請求項１に係る発明によれば、ステープルを下方に打ち込むステープル打込み機構の下方に設けられた綴り台から連続して被綴り用紙を送り込み可能な中綴じ用の通路を形成し、上記綴り台と中綴じ用通路との間には、上記中綴じ用通路を開放、遮断する切替ストッパを移動可能に設けた構成であるから、用紙の平綴じと中綴じの切替え作業は単に切替ストッパを上下方向に上げ下げするという単純な操作で簡単に行うことができる。
【００１２】
請求項２に係る発明によれば、切替ストッパは、上記中綴じ用通路を遮断して被綴り用紙の先端に当接して平綴じを可能とする下方位置と、上記中綴じ用通路を開放して上記被綴り用紙を進入可能とする上方位置とに回動により移動可能に設けられているので、回動操作だけで被綴り用紙の平綴じと中綴じとを簡単に切り替えすることができる。
【００１３】
請求項３に係る発明によれば、切替ストッパは、その上記下方位置と上方位置においてバネの付勢力により保持されるから、例えば切替ストッパが上方回動した中綴じ状態において該ストッパに振動が加わりもしくは作業者の手が軽く触れるようなことがあっても、該ストッパが下方回動して平綴じ状態に切り替わるようなことはない。
【００１４】
請求項４に係る発明によれば、上記請求項１に記載の発明において、切替ストッパは、上記ステープル打込み機構のステープル打ち出し位置に対して位置調整可能とされているので、用紙の平綴じにおいて、切替ストッパを前後位置調整することでその正しい綴じ位置で綴じることができる。
【発明を実施するための最良の形態】
【００１５】
図１〜図４に基づき、本発明のステープラの実施形態について以下に説明する。
【００１６】
図１、図２は本発明の切替ストッパを備え、用紙の平綴じにも併用できる中綴じ用のステープラを示すもので、このステープラは、ベース１上に支持台２を設け、この支持台２に２台のステープラ本体３を併設し、その中間に切替ストッパ４を配置したものである。
【００１７】
ベース１には、被綴り用紙Ｐを載置するテーブル５と、テーブル５の端部に連続して設けられた綴り台６と、綴り台６から下方に傾斜した傾斜部７と、傾斜部７の先端から水平となる底面部８とが形成されている。綴り台６のステープラ本体３に対応する位置には打ち込まれたステープルの脚を曲げるためのクリンチ溝９が形成されている。なお、ベース１の切替ストッパ４の下方位置には２個の受け溝１０が貫通形成されている。
【００１８】
また、ベース１の傾斜部７と底面部８とステープラ本体３の支持台２との間には中綴じ用の用紙Ｐを進入通過させるための通路１１が形成されている。そして、テーブル５の前端部には、被綴り用紙Ｐの一端に当接して停止させる前部停止部材１２が設けられている。この前部停止部材１２は、テーブル５に前後に長く形成された調整溝１４に沿って移動可能であり、このため被綴り用紙Ｐの移動方向に移動調整可能である。同様に、底面部８の後端部には、被綴り用紙Ｐの他端に当接して停止させる位置決め用の後部停止部材１５が設けられている。この停止部材１５も、ベース１に前後に長く形成された調整溝１６に沿って移動可能であり、このため被綴り用紙Ｐの移動方向に移動調整可能である。ベース１には幅調整部材１７も設けられている。なお、移動調整は調整ネジ（図示せず）によって行うようにすればよい。
【００１９】
次に、ステープラ本体３は支持台２に設けられ、電動モータ１８から減速歯車２０を介して伝達された回転力によって回転する回転板２１の内側に溝カム（図示せず）を設け、この溝カムに中間部が取付フレーム２３の回転軸２４に回転可能に支承された駆動リンク２５の一端を係合させ、他端でマガジン２６の前端に上下動可能に設けられたドライバプレート（図示せず）を支持し、回転板２１が回転することにより駆動リンク２５を上下方向に揺動させ、この揺動運動によってドライバとマガジン２６を上下に作動させ、下動時にマガジン２６の先端は綴り台６上の用紙Ｐの上で停止するが、さらにドライバを下方に駆動してマガジン２６の前端のステープルを下方のクリンチ溝９に向けて打ち出すことにより、綴り台６上の用紙Ｐを綴じるステープル打込み機構を備えている。
【００２０】
また、支持台２の中央部には取付フレーム２７が固定されている。この取付フレーム２７は図４にわかりやすく示されているように、両側板２８と前板２２とからコ字形に形成され、両側板２８の間には回動軸３０が取り付けられ、回動軸３０には中綴じ用通路１１を開放、遮断する切替ストッパ４が上下方向に回動可能に設けられている。
【００２１】
すなわち、切替ストッパ４は、図３に詳しく示されるように、２枚の側板３１と該側板３１の上端を連結する連結板３２によって下向きに開口するコ字形に形成され、側板３１の後端部が上記回動軸３０に軸支されている。また、側板３１の前部は後部よりも下方に延長形成され、この延出部３３は、上記ベース１に形成された受け溝１０を挿通できるように構成されている。さらに、切替ストッパ４の中間部とステープラ本体３の取付フレーム２７の側板８に形成された各係止片１９と係止片３４にはバネ３５（引っ張りバネ）の両端が係止されている。なお、バネ３５は切替ストッパ４が下方位置にあるときは上記回動軸３０よりも下方に位置し、切替ストッパ４が上方位置にあるときは上記回動軸３０よりも上方に位置するように設けられている。
【００２２】
なお、切替ストッパ４の取付フレーム２７はベース１に前後方向に設けられた長孔３６に沿って被綴り用紙Ｐの送り方向に移動可能となっている。したがって、被綴り用紙Ｐの先端位置を調整することができる。
【００２３】
上述の切替ストッパ構成によれば、切替ストッパ４は回動軸３０を中心に回動し、下方に回動したときは延出部３３がベース１の受け溝１０を通って下方に貫通する下方位置まで回動する。このため、上記中綴じ用通路１１は遮断され、被綴り用紙Ｐは中綴じ用通路１１に入り込むことはできない。これに対し、上方に回動したときは切替ストッパ４はほぼ垂直に上向きとなるように回動するので、上記中綴じ用通路１１は開放され、被綴り用紙Ｐは自由に中綴じ用通路１１に進入することができる。このように、切替ストッパ４の切り替えはワンタッチで行うことができる。
【００２４】
また。バネ３５は切替ストッパ４が下方位置（図３の位置）にあるときは上記回動軸３０よりも下方に位置し、切替ストッパ４が上方位置（図４の位置）にあるときは上記回動軸３０よりも上方に位置するように設けられているから、切替ストッパ４は、その下方位置と上方位置においてバネ３５の付勢力により安定した状態に保持される。
【００２５】
なお、上記ステープラ本体３と切替ストッパ４は着脱可能な透明カバー３８によって覆われ、その前面部３８ａの下端と綴り台６との間には被綴り用紙Ｐの挿入用開口３７が形成されている。
【００２６】
次に、上記構成のステープラ本体３の使用態様について説明する。被綴り用紙Ｐを平綴じするときは、図３に示されるように、切替ストッパ４の連結板３２に指を掛けて下方に回動させて下方位置に移動させる。これにより切替ストッパ４はバネ３５のバネ力によって下方位置に安定して保持され、また側板２８の延出部３３がベース１の受け溝１０に挿通されるから、中綴じ用通路１１は遮断される。そして、被綴り用紙Ｐの先端を上記開口３７から差し入れ、ステープラ本体３のドライバとクリンチ溝９との間に挿入すると、上記先端は切替ストッパ４の側板３１の端面３１ａに当って停止する。切替ストッパ４には２枚の側板３１が設けられているから、被綴り用紙Ｐは２箇所で位置決めされる。そこで、２つのステープラ本体３を作動させて被綴り用紙Ｐにステープルを打ち込んで綴じればよい。なお、平綴じの綴じ位置を変えたいときは、切替ストッパ４の取付フレーム２７を被綴り用紙Ｐの送り方向に移動させて調整すればよい。
【００２７】
次に、被綴り用紙Ｐを中綴じするときは、図４に示されるように、上記切替ストッパ４の連結板３２に指を掛けて上方位置に回動させて切替ストッパ４をほぼ垂直の上方位置に移動させる。これにより切替ストッパ４はバネ３５のバネ力によって上方位置に安定して保持され、中綴じ用通路１１は開放される。被綴り用紙Ｐを中綴じ用通路１１に進入させて底面部８の後部停止部材１５に当るまで送り込む。そこで、ステープラ本体３を作動させて被綴り用紙Ｐにステープルを打ち込んで綴じればよい。これにより、被綴り用紙Ｐの中央部分が綴じられる。なお、綴じ位置を変えるときは後部停止部材１５の位置を前後に移動調整すればよい。中綴じ用の通路１１に設けられた後部停止部材１５の上方は開放され、カバー等で覆われていないから、後部停止部材１５の調整は簡単に行うことができる。
【００２８】
上述のステープラ構成によれば、切替ストッパ４を単に上下方向で回動させるという単純なワンタッチ操作することで簡単に用紙Ｐの中綴じと平綴じの切替えができ、しかも中綴じと平綴じへのそれぞれの切替状態において切替ストッパ４は安定した状態に保持されるので、ステープラ本体３の移動等による振動や作業者の手が切替ストッパ４に軽く触れる程度のことでは、切替ストッパ４の上方位置、つまり中綴じ状態に保持された状態から下方回動位置、つまり平綴じ状態に変わったり、その逆に変わってしまうような不都合は起こらない。
【００２９】
また、切替ストッパ４は、上記ステープラ本体３のステープル打ち出し位置に対して位置調整可能とされているので、用紙Ｐの平綴じにおいて、切替ストッパ４を前後位置調整することでその正しい綴じ位置で綴じることができる。
【００３０】
なお、上記ステープラ本体に設けられたステープル打込み機構は電動モータによって駆動されるものであるが、本発明は電動モータによるものに限定されない。手動によってステープルを打込み作動するものであってもよい。
【図面の簡単な説明】
【００３１】
【図１】本発明の切替ストッパを備えたステープラ本体の側面図である。
【図２】本発明の切替ストッパを備えたステープラ本体の平面図である。
【図３】切替ストッパを平綴じ用の下方位置にした状態を示すステープラ本体の要部の拡大図である。
【図４】切替ストッパを中綴じ用の上方位置にした状態を示すステープラ本体の要部の拡大図である。
【符号の説明】
【００３２】
Ｐ    用紙
３    ステープラ本体
４    切替ストッパ
６    綴り台
１１  中綴じ用通路
【図１】
2008265035.tif 000003
【図２】
2008265035.tif 000004
【図３】
2008265035.tif 000005
【図４】
2008265035.tif 000006